(57)【特許請求の範囲】
【請求項１】
本体と、 
被加熱物を加熱する加熱手段と、 
該加熱手段を制御する制御基板と、 
前記本体の上面に設けられた押下式の操作ボタンと、 
該操作ボタンの奥側の本体内に動作点を有したスイッチと、 
前記操作ボタンの下方に設けられ、該操作ボタンにより押下げられる操作キーと、 
該操作キーの下方に設けられ、該操作キーにより押下げられたときに、一端を支点部とし、他端で前記スイッチの動作点を押下げるレバーと、を具備し、 
前記操作キーの下面には、前記レバーの上面に当接して摺動する半円状のキー円弧部を設け、 
前記レバーの上面には、前記操作キーの下面に当接して摺動する半円状のレバー円弧部を設けたことを特徴とする加熱調理器。 
【請求項２】
本体と、 
被加熱物を加熱する加熱手段と、 
該加熱手段を制御する制御基板と、 
該制御基板に調理条件を設定する上面操作部と前記本体の電源スイッチとなる押下式の操作ボタンとを有した操作部とを備え、 
該操作部の奥側の本体内に動作点を有したスイッチを備え、 
前記操作ボタンの下方には、該操作ボタンの押下された動作を伝える操作キーと、その下方に一端側で前記動作点を押下し他端側が支点部として支えられたレバーとを備え、 
前記操作キーの下面側には前記レバーの上面に当接して摺動する半円状のキー円弧部を設け、 
前記レバーの上面側には前記操作キーの下面に当接して摺動する半円状のレバー円弧部を設けたことを特徴とする加熱調理器。 
【発明の詳細な説明】
【技術分野】
【０００１】
本発明は、本体上面で操作する加熱調理器に関するものである。
【背景技術】
【０００２】
従来の加熱調理器として、特許文献１のように、キッチンキャビネットに落とし込んで組込まれる加熱調理器であって、本体の上面に設けたプレートの周囲をプレート枠で囲み、キッチンキャビネットの上面に掛かるプレート枠の右前角部に、プレート枠で囲った電源スイッチ部を備え、電源スイッチの操作によって電源の入切を行うものがある。
【先行技術文献】
【特許文献】
【０００３】
【特許文献１】特開２００５−２６５２０７号公報
【発明の概要】
【発明が解決しようとする課題】
【０００４】
上記した加熱調理器においては、使い勝手を考え、キッチンキャビネットとプレート枠との高さは極力段差が生じないようにトッププレート、プレート枠の高さを低く抑えている。そのため、プレート枠側に操作部が設けられている場合、操作部の直下に設けられる電源スイッチは薄型のものに限定される課題がある。
【課題を解決するための手段】
【０００５】
本発明は、上記の課題を解決するためになされたものであり、本体と、被加熱物を加熱する加熱手段と、該加熱手段を制御する制御基板と、前記本体の上面に設けられた押下式の操作ボタンと、該操作ボタンの奥側の本体内に動作点を有したスイッチと、前記操作ボタンの下方に設けられ、該操作ボタンにより押下げられる操作キーと、該操作キーの下方に設けられ、該操作キーにより押下げられたときに、一端を支点部とし、他端で前記スイッチの動作点を押下げるレバーと、を具備し、前記操作キーの下面には、前記レバーの上面に当接して摺動する半円状のキー円弧部を設け、前記レバーの上面には、前記操作キーの下面に当接して摺動する半円状のレバー円弧部を設けたものである。 
【０００６】
また、本体と、被加熱物を加熱する加熱手段と、該加熱手段を制御する制御基板と、該制御基板に調理条件を設定する上面操作部９と前記本体の電源スイッチとなる押下式の操作ボタンとを有した操作部とを備え、該操作部の奥側の本体内に動作点を有したスイッチを備え、前記操作部ボタンの下方には、該操作ボタンの押下された動作を伝える操作キーと、その下方に一端側で前記動作点を押下し他端側が支点部として支えられたレバーとを備え、前記操作キーの下面側には前記レバーの上面に当接して摺動する半円状のキー円弧部を設け、前記レバーの上面側には前記操作キーの下面に当接して摺動する半円状のレバー円弧部を設けたものである。 
【発明の効果】
【０００７】
本発明によれば、プレート枠側に操作部を設けた状態で、設けるスイッチの大きさに限定されること無く、また操作性を損なうことなく良好な電源スイッチを設けることが可能となる。
【図面の簡単な説明】
【０００８】
【図１】一実施例に係る加熱調理器をキッチンキャビネットに収納した状態の斜視図である。
【図２】一実施例に係る加熱調理器の斜視図である。
【図３】図１のＡ−Ａ断面図である。
【図４】一実施例に係る加熱調理器の操作部の分解説明図である。
【図５】図４のＤ部拡大上面図である。
【図６】図１のＢ部のＣ−Ｃ断面図である。
【図７】一実施例に係る加熱調理器の操作キーの（ａ）上面斜視図、（ｂ）下面斜視図である。
【図８】一実施例に係る加熱調理器のレバーの（ａ）上面斜視図、（ｂ）下面斜視図である。
【図９】図６の要部の（ａ）押下前、（ｂ）押下後の動作説明図である。
【発明を実施するための形態】
【０００９】
以下、本発明の実施例を図１〜図９に従って説明する。  
図１、図２において、加熱調理器の本体２は、キッチンキャビネット１の上面に設けた開口部１ａ（図３）から落とし込んで設置され、設置後はオーブン（ロースター）４をキッチンキャビネット１の前面部から操作できるようになっている。
【００１０】
調理を行う際の被加熱物である調理鍋は、本体２の上面に配置され耐熱ガラス等からなるプレート３上に載置される。また、プレート３の周囲端面は、プレート枠２０によって保護されている。
【００１１】
プレート３には載置部６が描かれており、該載置部６に調理鍋を載置することにより調理可能となる。載置部６は、プレート３の上面手前の右に載置部右６ａ、左に載置部左６ｂが配置され、これら両載置部６ａ、６ｂ間の奥（中央後部）に載置部中央６ｃが配置されている。そして、プレート３の載置部右６ａ、載置部左６ｂの下部に位置し本体２内の上部に配置して、調理鍋を加熱するための加熱手段３１である加熱コイル１１が設置されている。またプレート３の載置部中央６ｃの下部に位置し本体２内の上部に配置して、調理鍋を加熱するための加熱手段３１である１.２kWのラジエントヒーター７０が設置されている。このラジエントヒーター７０の代わりに加熱コイル１１を設置して２kWの誘導加熱の出力を得るようにしても良い。
【００１２】
載置部右６ａ、載置部左６ｂは各３kWの誘導加熱の出力である。鉄、ステンレスだけでなく非磁性金属の調理鍋も誘導加熱するものでも良い。
【００１３】
また、プレート３の前面側には後述する上面操作部９と上面表示部１０を備えた後述する操作部３５を設け、前面側に上面操作部９とその奥側に位置する上面表示部１０が設けられている。そして上面操作部９の右端には、電源の入切りを行うときに押下する操作ボタン１９を備えている。この操作部３５はキッチンキャビネット１の上面に載るため、使い勝手を考慮してキッチンキャビネット１との段差が低くなるように操作部３５の高さを薄く設けられている。そして、上面操作部９は複数のキーを備え、後述する制御基板１３に対して加熱手段３１である加熱コイル１１、ラジエントヒーター７０とオーブン４の火力や加熱時間の設定を行い、上面表示部１０に前記上面操作部９にて設定された情報の表示を行う。
【００１４】
本体２の前面左側には、魚や肉、ピザ等の被加熱物を焼くためのオーブン４が設けられ、開口部はドア４ａで塞がれる。なお、本実施例ではオーブン４を本体２の前面左側に設けたが、前面右側に設ける構成としても良い。また、オーブンは、呼び名としてロースター、グリルと呼ぶこともある。
【００１５】
図１〜図３において、制御回路１５０は、加熱コイル１１に電源を供給するインバータ基板１５や、加熱コイル１１に供給する電源やラジエントヒーター７０やオーブン４の加熱を制御する制御基板１３である。
【００１６】
本体２の内部には、発熱部品である加熱コイル１１や、制御回路１５０の電子部品を冷却するため、本体２前後の吸気口７より吸い込んだ空気を本体２内に送風する冷却手段である送風ファン１２を制御回路１５０より後方で本体２の右後部に配置している。
【００１７】
吸気口７は、本体２の前面と後方の２方向から空気を吸気するために後吸気口７ａとマエカバー１８下方の前吸気口７ｂとから成っている。
【００１８】
８は排気口で、送風ファン１２により送風した空気で本体２内を冷却して排出する場所である。左側の排気口８ｂからはオーブン４の廃熱も排出される。
【００１９】
１４は基板ケースで、制御基板１３とインバータ基板１５を覆い、基板ケース１４の後方側の後方空間５０に設けた送風ファン１２から送風される風を効率よく制御基板１３とインバータ基板１５に送るためのものである。
【００２０】
１３は制御基板で、上面操作部９によって設定された調理条件（火力や加熱時間）に応じて加熱コイル１１に供給する電源やオーブン４の加熱部（図示無し）を制御するものである。
【００２１】
次に、図４を用いて操作部３５の構成について説明する。操作部３５は、操作部プレート３４の上面平面部に、操作部を押下した時の動作を伝えるための穴や表示の光を通過するための穴を設けたシート貼付面３４ａに、上面操作部９と操作ボタン１９の意匠などを表示した操作シート３６を貼り付け、その下側に防水性を考慮した弾力性のある防水シート３７を配置し、更に防水シート３７の下側に操作部組３８を配置して構成している。
【００２２】
操作部組３８のＤ部を拡大した図５と、図１のＢ部のＣ−Ｃ断面図である図６を用いて操作ボタン１９の構成を詳細に説明する。
【００２３】
操作部組３８は、操作ケース３９に、上面操作部９の操作部によって動作するスイッチ４０ａと、発光して上面表示部１０の表示するＬＥＤ４０ｂとを複数搭載した操作表示基板４０を固定して構成している。
【００２４】
操作ボタン１９は操作シート３６に設けた本体２の電源を入切りする操作部で、前記電源を入れることで制御基板１３が動作する。そして操作ボタン１９の真下に操作部組３８に設けた操作キー４２を配置している。その操作キー４２の左右と前後の角部を囲繞して操作キー４２が可動する範囲を規制する壁３９ａを操作ケース３９に設けている。
【００２５】
操作キー４２の下にはレバー４３を配置し、操作キー４２に設けたキー円弧部４２ｂはレバー４３の後述の平行に設けたレバー円弧部４３ｅの間を押下する。
【００２６】
キッチンキャビネット１の開口部１に位置し、操作部組３８の奥側の本体２内に、上下に可動片を備えて商用電源を直接入切するスイッチ４４を配置する。
【００２７】
レバー４３の奥側の一端に設けたスイッチ押し部４３ｂで、スイッチ４４の動作点４４ａを押下する。
【００２８】
左右対の軸受け３９ｂを操作ケース３９に設け、レバー４３の手前側の他端を係止する軸形の支点部４３ａを備え、レバー４３は支点部４３ａを支点として回動自在に動く。
【００２９】
レバー４３の下面にはバネ受け部４３ｃを備え、操作ケース３９に備えたバネ４５の反発を受けてレバー４３と操作キー４２が上方に押し上げられている。
【００３０】
レバー４３が上方に外れるのを防止するために壁３９ａよりも奥側の左右の上方から抑えるツメを備えたストッパ３９ｃを操作ケース３９に設けている。
【００３１】
次に、図７、図８、図９を用いて操作キー４２とレバー４３の構造について説明する。
図７（ａ）は操作キー４２の図５矢印Ｅ方向の上面斜視図、図７（ｂ）は同下面斜視図である。操作キー４２の前後の側面はレバー４３と当接するのを防止するために切り欠いた凹部４２ｃを設けている。そして操作キー４２の下側には平面４２ａを備え、その平面４２ａの略中央部に、奥行方向に伸びる円弧状で円盤状のキー円弧部４２ｂを設けている。また、操作キー４２の脱落防止用にツメ部４２ｄを設け、そのツメ部４２ｄは後述するレバー４３の可動量を阻害しない距離に設けられ、操作ケース３９の穴（図示なし）に挿入されている。
【００３２】
図８（ａ）はレバー４３の図５矢印Ｅ方向の上面斜視図、図８（ｂ）は同下面斜視図である。レバー４３の上側には左右に狭く細長い平面４３ｄを備え、その平面４３ｄの短手方向の略両端に、奥行方向に伸びる円弧状で円盤状のレバー円弧部４３ｅを設けている。そのレバー円弧部４３ｅは、左右に間隔を隔てて対に並べて設けている。
【００３３】
そして、図９のように操作キー４２をレバー４３の上側に組上げた状態では、操作キー４２に備えるキー円弧部４２ｂは、レバー４３の上側に備える平面４３ｄに当接する。
【００３４】
また、レバー４３に備えるレバー円弧部４３ｅは操作キー４２の下側に備える平面４２ａに当接する。
【００３５】
また、キー円弧部４２ｂは対に並んだレバー円弧部４３ｅの間に位置して、レバー４３の平面４３ｄより操作キー４２のキー円弧部４２ｂが脱落しないようにガイドしている。
【００３６】
本実施例は、以上の構成からなり、次にその動作について説明する。  
キッチンキャビネット１の上面から落とし込んで設置された本体２の電源を入切りするときは、プレート３の前面側に設けられた操作部３５の中で、前面側の上面操作部９右端に配置し、操作シート３６に設けた操作ボタン１９を押下する。操作ボタン１９を押下すると、操作部プレート３４のシート張付面３４ａに設けた操作するための穴を通して操作部組３８を覆う防水シート３７を押下する。防水シート３７は、バネ４５で操作キー４２を上へ押し上げる力に反して操作キー４２の上側を押下する。
【００３７】
操作キー４２は、操作ケース３９の左右と前後の角部を囲繞する壁３９ａにより、前後左右に可動できる範囲が規制されている。
【００３８】
すると、操作キー４２の下側の平面４２ａに設けたキー円弧部４２ｂによりレバー４３の上側の平面４３ｄに当接する。
【００３９】
同時に、レバー４３の上側の平面４２ａに設けたレバー円弧部４３ｅにより操作キー４２の下側の平面４２ａに当接する。さらに、対に並んだレバー円弧部４３ｅの間に、キー円弧部４２ｂの左右を挟み、特に左右方向の動きが規制され、主に前後方向にのみ動きが可能になっている。
【００４０】
図９（ａ）は操作ボタン１９が押下前、図９（ｂ）は押下後の状態を示している。図９（ａ）では操作ボタン１９が押下前では、バネ４５を略圧縮されていない。操作キー４２の平面４２ａとレバー４３の平面４３ｄは略水平で略平行である。
【００４１】
次に、図９（ｂ）に示すように、操作ボタン１９が押下後では、バネ４５が圧縮される。レバー４３は操作キー４２に押下されることで、レバー４３の支点部４３ａを支点としてスイッチ押し部４３ｂ側が下側に下がる。その結果、レバー４３の平面４３ｄは支点部４３ａ側が高くスイッチ押し部４３ｂ側が低く傾いている。
【００４２】
そして、レバー４３のスイッチ押し部４３ｂがスイッチ４４の動作点４４ａを押下して商用電源が本体２に通電される。
【００４３】
操作ボタン１９が押下した時は、操作キー４２の平面４２ａは、略水平で、レバー４３の平面４３ｄとは平行にならない。このときに操作キー４２の凹部４２ｃがレバー４３の平面４３ｄの傾きを避ける働きをしている。
【００４４】
そして、図９（ａ）では操作キー４２のキー円弧部４２ｂの外周とレバー４３の平面４３ｄとは点によって当接し、また同時にレバー４３のレバー円弧部４３ｅの外周と操作キー４２の平面４２ａとは点によって当接している。
【００４５】
そして、操作ボタン１９が押下されることにより、図９（ｂ）に示すように操作キー４２のキー円弧部４２ｂの外周はレバー４３の平面４３ｄに点で当接して摺動する。またレバー４３のレバー円弧部４３ｅの外周も操作キー４２の平面４２ａに点で当接して摺動する。
【００４６】
そして、レバー４３は支点部４３ａを支点にスイッチ押し部４３ｂに下向きに回動してスイッチ４４の動作点４４ａを入切する。
【００４７】
以上のように、操作ボタン１９の上下に動く動作を、操作キー４２のキー円弧部４２ｂの外周とレバー４３の平面４３ｄとを常に点で当接し、またレバー４３のレバー円弧部４３ｅの外周を操作キー４２の平面４２ａとを常に点で当接して摺動することで、常に接触抵抗が少ない状態で動作する。そのため、操作ボタン１９を指で押下する時、その押下位置が操作ボタン１９の中央部や角部でも操作力の強弱にバラツキを感じることは無い。
【００４８】
以上本実施例によれば、設けるスイッチの大きさに限定されること無く、また操作性を損なうことなく良好な電源スイッチを設けることが可能となる。
【符号の説明】
【００４９】
１  キッチンキャビネット
２  本体
３  プレート
７  吸気口
７ａ  後吸気口
７ｂ  前吸気口
８  排気口
１１  加熱コイル
１２  送風ファン
１４  基板ケース
１９  操作ボタン
２０  プレート枠
３１  加熱手段
３５  操作部
４２  操作キー
４２ｂ  キー円弧部
４３  レバー
４３ａ  支点部
４３ｅ  レバー円弧部
４４  スイッチ
５０  後方空間
９０  空間通路
１５０  制御回路
【図１】
0005707353.tif 000002
【図２】
0005707353.tif 000003
【図３】
0005707353.tif 000004
【図４】
0005707353.tif 000005
【図５】
0005707353.tif 000006
【図６】
0005707353.tif 000007
【図７】
0005707353.tif 000008
【図８】
0005707353.tif 000009
【図９】
0005707353.tif 000010